【手続補正書】
【提出日】令和1年12月13日(2019.12.13)
【手続補正１】
【補正対象書類名】明細書
【補正対象項目名】０２１５
【補正方法】変更
【補正の内容】
【０２１５】
【表１６】
2019507234.tif 000001
本開示は以下の態様１〜４４を包含する。
［態様１］
カーペット、ラグ、他のポリマー材料及び／又は他の廃棄物源をクリーン燃料ガス及びチャー源に転化させるための方法であって、
カーペット、ラグ、他のポリマー材料及び／又は他の廃棄物源を熱分解装置に投入すること、
場合により、前記装置にスチームを注入することにより廃棄物源の湿分含有量を増加させること、
前記カーペット、ラグ及び／又は他のポリマー材料廃棄物源中の炭化水素に解重合及びクラッキング反応を受けさせること、
前記カーペット、ラグ及び／又は他のポリマー材料廃棄物源中に存在する毒性化合物を破壊及び／又は除去すること、
クリーン燃料ガス及びチャー源を生成すること、
を含み、
前記クリーン燃料ガス源は装置又は用途への動力のために使用され、
前記チャー源はリサイクルされることができ、及び／又は、回収可能な金属を含み、
前記クリーン燃料ガス及びチャー源はハロゲン化有機化合物を実質的に含まない、方法。
［態様２］
前記廃棄物源はカーペット及び／又はラグの端部、消費者使用済み廃棄物及びそれらの組み合わせを含む、態様１記載の方法。
［態様３］
前記廃棄物源はナイロン、ポリプロピレン（オレフィン）、ポリトリメチレンテレフタレート（ＰＴＴ）、ポリエステル（ＰＥＴ）、アクリル（又はアセテート）、羊毛、他の合成繊維、カーペットアディング、カーペットフィラー、カーペットバッキング材料及びそれらの組み合わせからなる群より選ばれる、態様２記載の方法。
［態様４］
前記廃棄物源は非カーペット及び／又はラグポリマー材料を含む、態様１記載の方法。
［態様５］
前記ポリマー材料はポリエチレンテレフタレート（ＰＥＴＥ又はＰＥＴ）、高密度ポリエチレン（ＨＤＰＥ）、ポリ塩化ビニル（ＰＶＣ）、低密度ポリエチレン（ＬＤＰＥ）、ポリプロピレン（ＰＰ）、ポリスチレン（ＰＳ）、ポリカーボネート（ＰＣ）、ポリラクチド及びそれらの組み合わせからなる群より選ばれる、態様４記載の方法。
［態様６］
前記他の廃棄物源は固形廃棄物である、態様１記載の方法。
［態様７］
前記他の廃棄物源はタイヤである、態様１記載の方法。
［態様８］
前記他の廃棄物源は肥料及び／又は他の固形廃棄物である、態様１記載の方法。
［態様９］
前記他の廃棄物源は自動シュレッダー残留物である、態様１記載の方法。
［態様１０］
前記他の廃棄物源は複合材料である、態様１記載の方法。
［態様１１］
前記他の廃棄物源は自治体固形廃棄物、医療廃棄物及び／又は廃木材である、態様１記載の方法。
［態様１２］
前記熱分解装置は少なくとも１つの反応器を含み、前記廃棄物源が少なくとも部分的なガス化を受けるためにプロセス温度が約３００℃〜約８００℃である、態様１記載の方法。
［態様１３］
前記熱分解装置は少なくとも１つの反応器を含み、前記廃棄物源が少なくとも部分的なガス化を受けるためにプロセス温度が約４００℃〜約８００℃である、態様１〜１２のいずれか記載の方法。
［態様１４］
前記熱分解装置は、酸素を含まない系内の間接加熱を提供し、そして前記熱分解装置は圧力範囲が約１０〜約１００ミリバールである、態様１〜１２のいずれか記載の方法。
［態様１５］
前記廃棄物源の湿分含有量を測定し、又は、前記反応器中の圧力を測定して、湿分含有量を約５〜約２０％に増加させるために前記反応器中に注入されるスチームの量を決定し、又は、湿分含有量を約５〜約２０％に減少させるために前記廃棄物源を乾燥する、態様１〜１２のいずかれか記載の方法。
［態様１６］
前記廃棄物源の湿分含有量は、５〜２０％の湿分含有量に調節され、そして場合により、前記湿分含有量は前記廃棄物源を乾燥することによって調整される、態様１５記載の方法。
［態様１７］
前記湿分含有量は前記廃棄物源を乾燥することによって調整される、態様１５記載の方法。
［態様１８］
前記廃棄物源を細断又は粉砕する初期工程をさらに含み、そして前記廃棄物源は１インチ未満の平均直径を有する実質的に均一なサイズである、態様１〜１２のいずれか記載の方法。
［態様１９］
破壊及び／又は除去される前記毒性化合物は、前記廃棄物源中に存在する芳香族化合物及び多環式芳香族炭化水素、ハロゲン化ジベンゾダイオキシン、ハロゲン化ジベンゾフラン、ビフェニル、ピレン、カドミウム、鉛、アンチモン、ヒ素、ベリリウム、クロロフルオロカーボン、水銀、ニッケル及び他の有機化合物を含む、態様１〜１２のいずれか記載の方法。
［態様２０］
破壊される前記化合物は毒性ハロゲン化有機化合物を含み、該方法は前記廃棄物源をチャー及び燃料ガスに転化させる方法において毒性ハロゲン化有機化合物を生成しない、態様１９記載の方法。
［態様２１］
前記チャーは炭素及びフィラーを含み、前記チャーはさらなるリサイクルに適しており、及び／又は、炭素及び／又はフィラーのさらなる再利用のために炭素からフィラーを除去する追加の工程に適している、態様１〜１２のいずれか記載の方法。
［態様２２］
前記クリーン燃料ガス源は前記廃棄物源中の炭化水素の熱分解転化に続いてガス／蒸気混合物から油溶性物質を分離することをさらに含む、態様２１記載の方法。
［態様２３］
前記ガス燃料はスクラビングされ、蒸気成分は分別凝縮される、ガススクラバー工程をさらに含む、態様２２記載の方法。
［態様２４］
前記チャー及び燃料ガス源はハロゲン化有機化合物を含まない、態様２２又は２３記載の方法。
［態様２５］
生成された燃料ガス源の少なくとも一部を、廃棄物源を転化させる方法に戻し、かかる方法のためのエネルギー源を提供し、及び／又は、別の用途のための燃料源として提供し、前記廃棄物源１ポンドあたり約３，０００〜２０，０００ＢＴＵは燃料源として生成される、態様１〜１２のいずれか記載の方法。
［態様２６］
カーペット、ラグ、他のポリマー材料及び／又は他の廃棄物源をクリーン燃料ガス及びチャー源に転化させるための方法であって、
カーペット、ラグ、他のポリマー材料及び／又は他の廃棄物源を細断又は粉砕して、実質的に均一な廃棄物源を、酸素を含まない系に間接加熱を提供する熱分解装置に提供すること、
場合により、前記装置にスチームを注入するか又は廃棄物源を乾燥することによって、廃棄物源の湿分含有量を約５〜２０％に増加させること、
前記廃棄物源中の炭化水素に解重合及びクラッキングを受けさせること、
前記廃棄物源中に存在する毒性化合物を破壊及び／又は除去すること、
チャーを生成すること、ここで、該チャーは炭素及びフィラーを含み、さらなるリサイクルに適している、及び、
前記廃棄物源中の炭化水素のパイロリシス転化からクリーン燃料ガス源を生成すること、ここで、該燃料ガス源はハロゲン化有機化合物を含まず、前記廃棄物源１ポンドあたり約３，０００〜２０，０００ＢＴＵは燃料源として生成される、及び、
前記燃料ガス源の少なくとも一部を、廃棄物源を転化させるための方法に提供し、かかる方法のためのエネルギー源を提供すること、
を含む方法。
［態様２７］
前記廃棄物源は、カーペット及びラグ材料端部及び消費者使用済みカーペット及びラグ材料からなる群より選ばれる、態様２６記載の方法。
［態様２８］
前記廃棄物源はＳＰＩコード１、２、３、４、５、６、７及びそれらの組み合わせを有する消費者向けプラスチックを含む、態様２６記載の方法。
［態様２９］
前記他の廃棄物源は固形廃棄物である、態様２６記載の方法。
［態様３０］
前記他の廃棄物源はタイヤである、態様２６記載の方法。
［態様３１］
前記他の廃棄物源は肥料及び／又は他の固形廃棄物である、態様２６記載の方法。
［態様３２］
前記他の廃棄物源は自動シュレッダー残留物である、態様２６記載の方法。
［態様３３］
前記他の廃棄物源は複合材料である、態様２６記載の方法。
［態様３４］
前記他の廃棄物源は自治体固形廃棄物、医療廃棄物及び／又は廃木材である、態様２６記載の方法。
［態様３５］
前記熱分解装置は少なくとも１つの反応器を含み、プロセス温度が約３００℃〜約８００℃であり、圧力範囲が約１０〜約１００ミリバールである、態様２６〜３４のいずれか記載の方法。
［態様３６］
前記実質的に均一な廃棄物源は１インチ未満の平均直径を有する、態様２６〜３４のいずれか記載の方法。
［態様３７］
破壊及び／又は除去される前記化合物は、前記廃棄物源中に存在する芳香族化合物及び多環式芳香族炭化水素、ハロゲン化ジベンゾダイオキシン、ハロゲン化ジベンゾフラン、ビフェニル、ピレン、カドミウム、鉛、アンチモン、ヒ素、ベリリウム、クロロフルオロカーボン、水銀、ニッケル及び他の有機化合物を含み、該方法は廃棄物源をチャー及びクリーン燃料ガスに転化させるための方法において、毒性ハロゲン化有機化合物を生成しない、態様２６〜３４のいずれか記載の方法。
［態様３８］
破壊される前記化合物は毒性ハロゲン化有機化合物を含み、除去される前記化合物は金属を含む、態様２６〜３４のいずれか記載の方法。
［態様３９］
前記クリーン燃料ガス源は前記廃棄物源中の炭化水素のパイロリシス転化に続いてガス／蒸気混合物から油溶性物質を分離することをさらに含む、態様３７記載の方法。
［態様４０］
前記ガス燃料はスクラビングされ、蒸気成分は分別凝縮される、ガススクラバー工程をさらに含む、態様３７記載の方法。
［態様４１］
生成される前記クリーン燃料ガス及びチャー源は約１０ｐｐｂ未満のハロゲン化有機化合物を含む、態様１〜４０のいずれか記載の方法。
［態様４２］
生成される前記クリーン燃料ガス及びチャー源は約１ｐｐｂ未満のハロゲン化有機化合物を含む、態様１〜４０のいずれか記載の方法。
［態様４３］
生成される前記クリーン燃料ガス及びチャー源はハロゲン化有機化合物を含まない、態様１〜４０のいずれか記載の方法。
［態様４４］
クリーン燃料ガス及びチャー源を含む、生成される産出物源はタール及び／又はオイルを含まない、態様１〜４０のいずれか記載の方法。
【手続補正２】
【補正対象書類名】特許請求の範囲
【補正対象項目名】全文
【補正方法】変更
【補正の内容】
【特許請求の範囲】
【請求項１】
カーペット、ラグ、他のポリマー材料及び／又は他の廃棄物源をクリーン燃料ガス及びチャー源に転化させるための方法であって、
カーペット、ラグ、他のポリマー材料及び／又は他の廃棄物源を熱分解装置に投入すること、
場合により、前記装置にスチームを注入することにより廃棄物源の湿分含有量を増加させること、
前記カーペット、ラグ及び／又は他のポリマー材料廃棄物源中の炭化水素に解重合及びクラッキング反応を受けさせること、
前記カーペット、ラグ及び／又は他のポリマー材料廃棄物源中に存在する毒性化合物を破壊及び／又は除去すること、
クリーン燃料ガス及びチャー源を生成すること、
を含み、
前記クリーン燃料ガス源は装置又は用途への動力のために使用され、
前記チャー源はリサイクルされることができ、及び／又は、回収可能な金属を含み、
前記クリーン燃料ガス及びチャー源はハロゲン化有機化合物を実質的に含まない、方法。
【請求項２】
前記廃棄物源はカーペット及び／若しくはラグの端部、消費者使用済み廃棄物又はそれらの組み合わせを含み、任意に、前記廃棄物源はナイロン、ポリプロピレン（オレフィン）、ポリトリメチレンテレフタレート（ＰＴＴ）、ポリエステル（ＰＥＴ）、アクリル（又はアセテート）、羊毛、他の合成繊維、カーペットアディング、カーペットフィラー、カーペットバッキング材料及びそれらの組み合わせからなる群より選ばれる、請求項１記載の方法。
【請求項３】
前記廃棄物源は非カーペット及び／又はラグポリマー材料を含み、任意に、前記ポリマー材料はポリエチレンテレフタレート（ＰＥＴＥ又はＰＥＴ）、高密度ポリエチレン（ＨＤＰＥ）、ポリ塩化ビニル（ＰＶＣ）、低密度ポリエチレン（ＬＤＰＥ）、ポリプロピレン（ＰＰ）、ポリスチレン（ＰＳ）、ポリカーボネート（ＰＣ）、ポリラクチド及びそれらの組み合わせからなる群より選ばれる、請求項１記載の方法。
【請求項４】
前記他の廃棄物源は固形廃棄物、タイヤ、肥料及び／若しくは他の固形廃棄物、自動シュレッダー残留物、複合材料、自治体固形廃棄物、医療廃棄物並びに／又は廃木材である、請求項１記載の方法。
【請求項５】
前記熱分解装置は少なくとも１つの反応器を含み、前記廃棄物源が少なくとも部分的なガス化を受けるためにプロセス温度が約３００℃〜約８００℃、又は約４００℃〜約８００℃である、請求項１記載の方法。
【請求項６】
前記熱分解装置は、酸素を含まない系内の間接加熱を提供し、そして前記熱分解装置は圧力範囲が約１０〜約１００ミリバールである、あるいは、前記廃棄物源の湿分含有量を測定し、又は、前記反応器中の圧力を測定して、湿分含有量を約５〜約２０％に増加させるために前記反応器中に注入されるスチームの量を決定し、又は、湿分含有量を約５〜約２０％に減少させるために前記廃棄物源を乾燥する、請求項１〜５のいずれか１項記載の方法。
【請求項７】
前記廃棄物源を細断又は粉砕する初期工程をさらに含み、そして前記廃棄物源は１インチ未満の平均直径を有する実質的に均一なサイズである、請求項１〜５のいずれか１項記載の方法。
【請求項８】
破壊及び／又は除去される前記毒性化合物は、前記廃棄物源中に存在する芳香族化合物及び多環式芳香族炭化水素、ハロゲン化ジベンゾダイオキシン、ハロゲン化ジベンゾフラン、ビフェニル、ピレン、カドミウム、鉛、アンチモン、ヒ素、ベリリウム、クロロフルオロカーボン、水銀、ニッケル又は他の有機化合物を含み、任意に、破壊される前記化合物は毒性ハロゲン化有機化合物を含み、該方法は前記廃棄物源をチャー及び燃料ガスに転化させる方法において毒性ハロゲン化有機化合物を生成しない、請求項１〜５のいずれか１項記載の方法。
【請求項９】
前記チャーは炭素及びフィラーを含み、前記チャーはさらなるリサイクルに適しており、及び／又は、炭素及び／又はフィラーのさらなる再利用のために炭素からフィラーを除去する追加の工程に適している、請求項１〜５のいずれか１項記載の方法。
【請求項１０】
前記クリーン燃料ガス源は前記廃棄物源中の炭化水素の熱分解転化に続いてガス／蒸気混合物から油溶性物質を分離することをさらに含み、任意に、前記熱分解装置は、前記ガス燃料がスクラビングされ、蒸気成分は分別凝縮される、ガススクラバー工程をさらに含む、請求項９記載の方法。
【請求項１１】
前記チャー及び燃料ガス源はハロゲン化有機化合物を含まない、請求項１０記載の方法。
【請求項１２】
生成された燃料ガス源の少なくとも一部を、廃棄物源を転化させる方法に戻し、かかる方法のためのエネルギー源を提供し、及び／又は、別の用途のための燃料源として提供し、前記廃棄物源１ポンドあたり約３，０００〜２０，０００ＢＴＵは燃料源として生成される、請求項１〜５のいずれか１項記載の方法。
【請求項１３】
カーペット、ラグ、他のポリマー材料及び／又は他の廃棄物源をクリーン燃料ガス及びチャー源に転化させるための方法であって、
カーペット、ラグ、他のポリマー材料及び／又は他の廃棄物源を細断又は粉砕して、実質的に均一な廃棄物源を、酸素を含まない系に間接加熱を提供する熱分解装置に提供すること、
場合により、前記装置にスチームを注入するか又は廃棄物源を乾燥することによって、廃棄物源の湿分含有量を約５〜２０％に増加させること、
前記廃棄物源中の炭化水素に解重合及びクラッキングを受けさせること、
前記廃棄物源中に存在する毒性化合物を破壊及び／又は除去すること、
チャーを生成すること、ここで、該チャーは炭素及びフィラーを含み、さらなるリサイクルに適している、及び、
前記廃棄物源中の炭化水素のパイロリシス転化からクリーン燃料ガス源を生成すること、ここで、該燃料ガス源はハロゲン化有機化合物を含まず、前記廃棄物源１ポンドあたり約３，０００〜２０，０００ＢＴＵは燃料源として生成される、及び、
前記燃料ガス源の少なくとも一部を、廃棄物源を転化させるための方法に提供し、かかる方法のためのエネルギー源を提供すること、
を含む方法。
【請求項１４】
前記熱分解装置は少なくとも１つの反応器を含み、プロセス温度が約３００℃〜約８００℃であり、圧力範囲が約１０〜約１００ミリバールである、あるいは、前記実質的に均一な廃棄物源は１インチ未満の平均直径を有する、あるいは、破壊及び／又は除去される前記化合物は、前記廃棄物源中に存在する芳香族化合物及び多環式芳香族炭化水素、ハロゲン化ジベンゾダイオキシン、ハロゲン化ジベンゾフラン、ビフェニル、ピレン、カドミウム、鉛、アンチモン、ヒ素、ベリリウム、クロロフルオロカーボン、水銀、ニッケル又は他の有機化合物を含み、該方法は廃棄物源をチャー及びクリーン燃料ガスに転化させるための方法において、毒性ハロゲン化有機化合物を生成しない、そして任意に、前記クリーン燃料ガス源は前記廃棄物源中の炭化水素のパイロリシス転化に続いてガス／蒸気混合物から油溶性物質を分離することをさらに含み、任意に、熱分解装置は、前記ガス燃料がスクラビングされ、蒸気成分は分別凝縮される、ガススクラバー工程をさらに含む、請求項１３記載の方法。
【請求項１５】
生成される前記クリーン燃料ガス及びチャー源は、約１０ｐｐｂ未満のハロゲン化有機化合物を含む、約１ｐｐｂ未満のハロゲン化有機化合物を含む、又はハロゲン化有機化合物を含まない、あるいは、クリーン燃料ガス及びチャー源を含む、生成される産出物源はタール及び／又はオイルを含まない、請求項１〜１４のいずれか１項記載の方法。